(57)【要約】 【課題】  ランプユニットに収容される平面型放電管の薄さや照射面の大きさと比較して遜色のない薄さと表面の大きさを保つとともに、放熱性に優れたコンパクトなランプユニットを提供する。【解決手段】  このランプユニット１０は、シャーシ１１と、このシャーシ１１の表面１１ａ側に配置されている平面型放電管５０と、このシャーシ１１の裏面１１ｂ側に配置されている平面型放電管５０の点灯用回路基板１２とからなる。シャーシ１１の表面１１ａと、平面型放電管５０の発光面Ｓと反対側の面とが、熱伝導性の接合剤１４を介して接着している。シャーシ１１の裏面１１ｂ側には、所定の距離Ｈ０をおいて、点灯用回路基板１２が取付部としての支柱１３を介して取付られており、点灯用回路基板１２の表面１２ａ上に設けられた電気回路を構成する回路部品１２ａ、１２ｂ、１２ｃ、１２ｄが、所定の距離Ｈ０を保った空間に挟み込まれるようになっている。【選択図】          図１
2009070569.tif 000002
【特許請求の範囲】
【請求項１】
表面から発光する薄型発光体の裏面を熱伝導性の接合剤層を介して、または、裏面を直接、密着して放熱用部材の第１面に配置するとともに、
前記薄型発光体と電気的に接続した同薄型発光体の点灯用回路基板を、前記放熱用部材の第２面側に配置するように構成したランプユニットであって、
前記点灯用回路基板の電気回路を構成する部品が配置された面側と、前記放熱用部材の第２面側とが対向するように、前記点灯用回路基板を前記放熱用部材に取付部を介して取り付けた、
ことを特徴とするランプユニット。
【請求項２】
前記点灯用回路基板の電気回路を構成する部品のうち、第２面側へ突出する構成部品の一部分が、前記薄型発光体の側面側の空間に配置される、
ことを特徴とする請求項１に記載のランプユニット。
【請求項３】
前記放熱用部材の第２面側には、該放熱用部材の第２面と接触して形成される放熱手段を備えたことを特徴とする請求項１または請求項２に記載のランプユニット。
【請求項４】
前記薄型発光体は、平面型放電管である、ことを特徴とする請求項１〜請求項３のいずれかに記載のランプユニット。
【請求項５】
前記平面型放電管の裏面には、薄膜状電極が形成されるとともに、当該薄膜状電極は前記平面型放電管に加圧される電圧の低圧側とされる、
ことを特徴とする請求項４に記載のランプユニット。
【発明の詳細な説明】
【技術分野】
【０００１】
本発明は、ランプユニットに関し、例えば家庭用・業務用・工業用等の各種製品に搭載され、照明装置用の発光素子として利用されるランプユニットに関する。
【背景技術】
【０００２】
従来、特許文献１に示される誘電体バリア放電管（図１２参照）や、特許文献２または特許文献３に開示されている照明具用基盤（図１３および図１４参照）が知られている。これらの誘電体バリア放電管や照明具用基盤では、平面型放電管と、この平面型放電管に電気的に接続された点灯用回路基板とを、シャーシに貼り付けることによって、薄くて取り扱いが容易なランプユニットを構成している。
【０００３】
また、特許文献１に示される平面型照明装置（図１５参照）では、シャーシの表面側に平面型放電管を配置し、シャーシの裏面側に点灯用回路基板を配置した構成のランプユニットが開示されている。
【０００４】
【特許文献１】特開２００７−１８８７７２号（図３、図１４，図１５および図１６）
【特許文献２】意匠登録公報１２８７３９９号（正面・平面・右側面側からの斜視図）
【特許文献３】意匠登録公報１２８７８５４号（正面・平面・右側面側からの斜視図）
【発明の開示】
【発明が解決しようとする課題】
【０００５】
図１３や図１４に示すようなランプユニットにおいては、シャーシに点灯用回路基板を設置しているため、平面型放電管の照射面の有する面積に対し、ランプユニット全体の面積が非常に大きくなっている。さらに、このランプユニットの全体の厚みは、点灯用回路基板上に設けられているトランスやコンデンサ等の回路部品の大きさによって制約を受けるために、平面型放電管自体の有する光源の薄さを生かすことができないという問題があった。
【０００６】
また、図１５に示すようなランプユニットにおいては、ランプユニット自体の有する面積を平面型放電管の照射面に近づけることが可能となったものの、ランプユニット全体の厚みが厚くなるという問題があった。
【０００７】
また、この平面型放電管は、高電圧を印可するために、白熱電球と比較すると、表面が高温になるため、放熱を促進しなければならないという問題がある。この対策として、図１７においては、シャーシにアルミニウムや銅、真鍮といった熱伝導性の良好な金属製材料を用いて放熱を促進しているが、まだまだ十分ではなく、さらに良好な放熱対策が望まれていた。そこで、特許文献１（図１６および図１７参照）に示すような冷却フィン等を設けたランプユニットを提案しているが、ランプユニット全体の厚みが大きくなってしまうという問題を生じる。すなわち、ランプユニットの放熱対策とコンパクト化という課題は、互いにトレードオフの関係となっており、この両課題を同時に解決するランプユニットの提供が期待されている。
【０００８】
このように、平面型放電管と点灯用回路から構成されるランプユニットは、様々な機器の一部品として機能する製品であるため、適度なコンパクト性を有しつつ、放熱に対しても良好でなければならないという課題がある。そこで、本発明は、ランプユニットに収容される薄型発光体としての平面型放電管の薄さや照射面の大きさと比較して遜色のない薄さと表面の大きさを保つとともに、放熱性に優れたコンパクトなランプユニットを提供することを目的とする。
【課題を解決するための手段】
【０００９】
本発明のうち、請求項１に記載のランプユニットは、  
表面から発光する薄型発光体の裏面を熱伝導性の接合剤層を介して、または、裏面を直接、密着して放熱用部材の第１面に配置するとともに、
前記薄型発光体と電気的に接続した同薄型発光体の点灯用回路基板を、前記放熱用部材の第２面側に配置するように構成したランプユニットであって、
前記点灯用回路基板の電気回路を構成する部品が配置された面側と、前記放熱用部材の第２面側とが対向するように、前記点灯用回路基板を前記放熱用部材に取付部を介して取り付けた、ことを特徴とする。
【００１０】
ここで、前記「放熱用部材の第１面」とは、放熱用部材の表面（上面）を示し、前記「放熱用部材の第２面」とは、放熱用部材の裏面（下面）を示す。
この構成によれば、薄型発光体の裏面を熱伝導性の接合剤層を介して、または、裏面を直接、密着して放熱用部材の第１面に配置しているので、薄型発光体から放射される熱を熱伝導によって放熱用部材に伝えることができるため、好適に放熱させることができ、その結果、薄型発光体の表面温度を低下させることが可能となる。ひいては、薄型発光体の表面に触れても火傷等の心配はなく安全を保つことが可能となる。
【００１１】
また、点灯用回路基板を放熱用部材の第２面側に配置し、放熱用部材に別部品としての取付部を介して取り付けたので、薄型発光体から放熱用部材に放熱された熱が、熱伝導により、直接、点灯用回路基板に伝わることを防止することができる。ひいては、点灯用回路基板に配置されている回路部品の温度上昇の防止を図ることができ、誤動作の防止や回路部品の寿命を長く保つことが可能となる。
【００１２】
また、前記点灯用回路基板の電気回路を構成する部品が配置された面側と、前記放熱用部材の第２面側とが対向するように設けたので、点灯用回路基板上に配置された回路部品が従来のように外側へ突出することがない。したがって、ランプユニット全体の厚みを抑えることが可能となる。
【００１３】
また、請求項２に記載のランプユニットは、請求項１に記載のランプユニットの構成に加えて、
前記点灯用回路基板の電気回路を構成する部品のうち、第２面側へ突出する構成部品の一部分が、前記薄型発光体の側面側の空間に配置される、ことを特徴とする。
【００１４】
この構成によれば、前記構成部品の中で、コンデンサやトランス等の大きな部品や背の高い部品が配置されている領域を、前記薄型発光体の側面側の空間へずらして配置させることによって、ランプユニット全体の厚みを抑えることが可能となる。
【００１５】
また、請求項３に記載のランプユニットは、請求項１または請求項２に記載のランプユニットの構成に加えて、
前記放熱用部材の第２面側には、該放熱用部材の第２面と接触して形成される放熱手段を備えた、ことを特徴とする。
【００１６】
この構成によれば、該放熱用部材の第２面と放熱手段とが接触して形成されているので、前記放熱用部材から熱伝導によって前記放熱手段に熱が伝えられる。この放熱手段は、大気と接触する面積が前記放熱用部材よりも広いために、好適に大気中に熱を放散させることができる。ひいては、ランプユニット全体の温度上昇を抑えることが可能となる。
【００１７】
また、請求項４に記載のランプユニットは、請求項１〜請求項３のいずれかに記載のランプユニットの構成に加えて、
前記薄型発光体は、平面型放電管である、ことを特徴とする。
【００１８】
この構成によれば、平面型放電管は、有機ＥＬや導光板を利用した厚さの薄い発光体と比較して高輝度であり、しかも発光面から照射される光が均一であるなどの利点を有するため、各種の照明装置の一部品としてのランプユニットに利用できるという利点がある。また、光源としての低温特性に優れていること、放電ガスに水銀を用いていないことなど、従来の蛍光灯と比較しても様々な長所を有しているため、ランプユニットに応用した場合において、適用範囲が非常に大きい。
【００１９】
また、請求項５に記載のランプユニットは、請求項４に記載のランプユニットの構成に加えて、
前記平面型放電管の裏面には、薄膜状電極が形成されるとともに、当該薄膜状電極は前記平面型放電管に加圧される電圧の低圧側とされる、
ことを特徴とする。
【００２０】
薄型発光体の裏面を前記放熱用部材の第1面に接触しているため、放熱用部材に金属板を用い、薄型発光体として薄膜状電極を外面に形成する平面型放電管を用いた場合には、この薄膜状電極と前記放熱用部材が電気的に導通することになる。このとき、この薄膜状電極が高圧側である場合には、誤って放熱用部材に触れると感電の恐れがある。この構成によれば、人が誤って前記放熱用部材に触れても感電しないよいうにすることができる。
【００２１】
また、漏れ電流が生じると平面型放電管の点灯状態においてちらつきが発生するため、この漏れ電流を極力抑えることが必要となる。この構成によれば、前記放熱用部材の第1面に接触する平面型放電管の薄膜状電極側を低圧側とすることにより、漏れ電流を極力抑えることができる。
【発明の効果】
【００２２】
以上の発明のランプユニットによれば、このランプユニットに収容される薄型発光体の薄さや照射面の大きさと比較して遜色のない薄さと表面の大きさを保つとともに、放熱性に優れたコンパクトなランプユニットを提供することができる。
【発明を実施するための最良の形態】
【００２３】
（第１の実施形態）
図１は、本発明における第１の実施形態のランプユニット１０を示した図であって、（ａ）はランプユニットの平面図、（ｂ）は正面図である。図２は、本実施形態を構成する薄型発光体としての平面型放電管５０であって、（ａ）は平面型放電管の断面図、（ｂ）は（ａ）のＣ−Ｃ断面図である。
【００２４】
＜全体構成＞
図１に示すように、このランプユニット１０は、全体として表面を略長方形状をしており、シャーシ１１と、このシャーシ１１の表面１１ａ側に配置されている平面型放電管５０と、このシャーシ１１の裏面１１ｂ側に配置されている平面型放電管５０の点灯用回路基板１２とからなる。シャーシ１１の表面１１ａと、平面型放電管５０の発光面Ｓと反対側の面（裏面）とが、熱伝導性の接合剤１４を介して接着している。この接合剤としては、例えば、３Ｍ社の商品名スコッチ・ウェルドＥＷ２０７０等の熱伝導性エポキシ接着剤や、熱伝導性両面テープ等がある。ここで、シャーシ１１は、放熱用部材として構成され、アルミニウムや銅、真鍮などの熱伝導率の大きい金属製材料などがある。本発明において、放熱用部材としてのシャーシ１１の表面１１ａは、放熱用部材の第１面、シャーシ１１の裏面１１ｂは、放熱用部材の第２面と定義される。
【００２５】
なお、この平面型放電管５０の裏面には、後に述べるように、薄膜状電極としての透明電極５１ｂが形成されている。したがって、本実施形態においては、平面型放電管５０の裏面と熱伝導性の接合剤１４とが接着した状態とは、平面型放電管５０の裏面に形成された透明電極５１ｂと熱伝導性の接合剤１４とが密着して固定された状態であることを意味している。ここで、一対の透明電極５１ａ、５１ｂのうち、当該透明電極５１ｂが低圧側として点灯用回路基板１２と電気的に接続されている。
【００２６】
シャーシ１１の裏面１１ｂ側には、所定の距離Ｈ０をおいて、点灯用回路基板１２が取付部としての支柱１３を介して取付られており、点灯用回路基板１２の表面１２ｅは、シャーシ１１の裏面１１ｂと対向している。つまり、点灯用回路基板１２の表面１２ａ上に設けられた電気回路を構成する回路部品１２ａ、１２ｂ、１２ｃ、１２ｄが、所定の距離Ｈ０を保った空間に挟み込まれるようになっている。所定の距離Ｈ０は、回路部品のうち背の高い部品１２ａ，１２ｄ等の高さよりも若干大きく設定される。
【００２７】
＜平面型放電管＞
図２に示すように、平面型放電管５０は、一対の誘電体平板としてのガラス板５４ａ、５４ｂを対向配置し、周囲を封止部材５３を使用して内部に密閉空間５７（放電空間）を形成した密閉容器を構成し、この空間に給排気管５６を介して希ガス等の放電ガスを封入している。密閉空間５７内には、複数の誘電体リブ５５が設けられている。この密閉容器の両外表面の各々には、一対の薄膜状の透明電極５１ａ、５１ｂが設けられている。一対のリード線５２ａ、５２ｂは、この一対の透明電極５１ａ、５１ｂと、導電体接続部５３ａ、５３ｂを介して接続固定されている。また、一方の透明電極５１ｂの上面には、図示しない薄膜の反射部材が設けられている。なお、平面型放電管５０から光が発光する発光面Ｓ（表面）とする。本実施形態においては、この発光面側Ｓの側が上面側となる。また、透明電極５１ａ、５１ｂおよび反射部材５４は、極めて厚さが薄いために、図１では省略している。また、給排気管５６、リード線５２ａ、５２ｂおよび導電体接続部５３ａ、５３ｂも、図１では省略している。
【００２８】
＜平面型放電管の特徴＞
平面型放電管５０は、有機ＥＬや導光板を利用した厚さの薄い発光体と比較して高輝度であり、しかも発光面Ｓから照射される光が均一であるなどの利点を有する。また、光源としての低温特性に優れていること、放電ガスに水銀を用いていないことなど、従来の蛍光灯と比較しても様々な長所を有している。このため、ランプユニットに応用した場合において、適用範囲が非常に大きい。
【００２９】
（第１の実施形態の作用・効果）
次に、第１の実施形態から把握される前述の作用効果以外の作用・効果を以下に列記する。
（１）シャーシ１１の表面１１ａ側に平面型放電管５０を設け、シャーシ１１の裏面１１ｂ側に点灯用回路基板１２を設けることによって、コンパクトで纏まりのあるランプユニットとすることができる。すなわち、シャーシ１１の表面の広さや形状を、平面型放電管５０の表面の広さや形状に近づけることができるとともに、ランプユニットとしての厚みを極力抑えることが可能となる。
【００３０】
（２）薄型発光体としての平面型放電管５０の裏面を熱伝導性の接合剤１４を介して、放熱用部材としてのシャーシ１１の第１面（表面１１ａ）に配置しているので、平面型放電管５０から放射される熱を熱伝導によってシャーシ１１に伝えることができるため、好適に放熱させることができ、その結果、平面型放電管５０の表面温度を低下させることが可能となる。ひいては、薄型発光体の表面に触れても火傷等の心配はなく安全を保つことが可能となる。
【００３１】
（３）点灯用回路基板１２を放熱用部材としてのシャーシ１１の第２面（裏面１１ｂ）側に配置し、シャーシ１１に別部品としての取付部である支柱１３を介して取り付けたので、平面型放電管５０からシャーシ１１に放熱された熱が、熱伝導により、直接、点灯用回路基板１２に伝わることを防止することができる。ひいては、点灯用回路基板１２に配置されている回路部品１２ａ、１２ｂ、１２ｃ、１２ｄの温度上昇の防止を図ることができ、誤動作の防止や回路部品の寿命を長く保つことが可能となる。
【００３２】
（４）点灯用回路基板１２の電気回路を構成する回路部品１２ａ、１２ｂ、１２ｃ、１２ｄが配置された面側１２ｅと、シャーシ１１の第２面（裏面１１ｂ）側とが対向するように設けたので、点灯用回路基板１２上に配置された回路部品１２ａ、１２ｂ、１２ｃ、１２ｄが、従来のようにランプユニットの外表面側へ突出することがない。したがって、ランプユニット全体の厚みＨ１を抑えることが可能となる。
【００３３】
（５）平面型放電管５０の裏面をシャーシ１１の表面１１ａに接触しているため、平面型放電管５０の薄膜状電極である透明電極５１ｂと金属材料からなるシャーシ１１とが電気的に導通することになる。このとき、この透明電極５１ｂが高圧側である場合には、誤ってシャーシ１１に触れると感電の恐れがある。本実施形態では、シャーシ１１と導通している透明電極５１ｂは、加圧される電圧の低圧側とされているので、人が誤ってシャーシ１１に触れても感電しないよいうにすることができる。
【００３４】
（６）漏れ電流が生じると平面型放電管５０の点灯状態においてちらつきが発生するため、この漏れ電流を極力抑えることが必要となる。シャーシ１１の表面１１ａに接触する平面型放電管５０の透明電極５１ｂを低圧側とすることにより、漏れ電流を極力抑えることができる。
【００３５】
（第２の実施形態）
図３は、本発明における第２の実施形態のランプユニット１０を示した図であって、（ａ）はランプユニットの平面図、（ｂ）は正面図である。ここで示される平面型放電管５０は、図２で示した平面型放電管５０と同じであるため説明を省略する。なお、図３において、第１の実施形態と同じ作用・機能を有する部品には、図１おいて付与した符号と同じ符号を付与している。ここでは、第１の実施形態と異なる構成について以下に説明する。
【００３６】
シャーシ１１において、横方向に延びた延設部１１ｄには、貫通穴１１ｃが設けられている。その結果、第１の実施形態と比較して、縦幅は同等（Ｂ２＝Ｂ１）であるが、横幅Ｄ２が大きくなっている（Ｄ２＞Ｄ１））。そして、点灯用回路基板１２の表面１２ｅ側に設けられた背の高い回路部品１２ａ、１２ｂ、１２ｄが、この貫通穴１１ｃ内に配置されるようにして、点灯用回路基板１２が取り付けられている。
【００３７】
（第２の実施形態の作用・効果）
以上の構成から、前記第１の実施形態で示された作用・効果に加えて、次の作用・効果が把握される。
（７）点灯用回路基板１２の電気回路を構成する部品のうち、第２面側へ突出する構成部品の一部分１２ａ、１２ｂ、１２ｄが、薄型発光体としての平面型放電管５０の側面側の空間（貫通穴１１ｃ内）に配置されている。つまり、点灯用回路基板１２の構成部品の中で、コンデンサやトランス等の大きな部品や背の高い部品が配置されている領域を、貫通穴１１ｃ内に配置させることによって、この貫通穴Ｈ１１ｃ内に配置された分だけ所定の距離Ｈ０（図１参照）をＨ０’（図３参照）へと小さくすることができるため、ランプユニット全体の厚みもＨ１（図１参照）からＨ２（図３参照）と小さくするが可能となる。この場合、前述したように横幅がＤ２と大きくなるが、ランプユニットの厚さを極力抑える手段としては大きな効果をもたらす。
【００３８】
（第３の実施形態）
図４は、本発明における第３の実施形態のランプユニット１０を示した図であって、（ａ）はランプユニットの平面図、（ｂ）および（ｃ）は正面図である。ここで示される平面型放電管５０は、図２で示した平面型放電管５０と同じであるため説明を省略する。なお、図４において、第１および第２の実施形態と同じ作用・機能を有する部品には、図１おいて付与した符号と同じ符号を付与している。ここでは、第１および第２の実施形態と異なる構成について以下に説明する。
【００３９】
本実施形態は、第２の実施形態の構成に加えて、放熱手段１５，１５ａを設けた点が異なる。すなわち、シャーシ１１の裏面１１ｂにおいて、点灯用回路基板１２をを配置した以外の周辺領域上に、シャーシ１１の裏面１１ｂに密着するように、放熱手段としてのフィン部材１５（図４（ｂ）参照）あるいはパンチングメタル１５ａ（図４（ｃ）参照）を支持材１５ｂを介して設けている。
【００４０】
（第３の実施形態の作用・効果）
以上の構成から、前記第１および第２の実施形態で示された作用・効果に加えて、次の作用・効果が把握される。
（８）放熱用部材としてのシャーシ１１の第２面（裏面１１ｂ）と放熱手段としてのフィン部材１５あるいはパンチングメタル１５ａ（支持材１５ｂを含む）が、シャーシ１１の裏面１１ｂに接触して形成されているので、シャーシ１１から熱伝導によってフィン部材１５あるいはパンチングメタル１５ａに熱が伝えられる。これらの放熱手段１５，１５ａは、大気と接触する面積がシャーシ１１よりも大きいために、好適に大気中に熱を放散させることができる。ひいては、ランプユニット全体の温度上昇を抑えることが可能となる。また、点灯用回路基板１２を配置した周辺に、これらの放熱手段１５，１５ａを配置し、周囲に突出しなように形成している。これによって、コンパクトな構成のランプユニットとすることができる。
【００４１】
（９）放熱手段としてパンチングメタル１５ａを用いると、市販の部品を用いることができる、また非常に小さな空間でも大気と接触する面積を好適に保つことができるため、簡単な構成で放熱手段を作成することができるとともに、コスト上昇を抑えることができる。
【００４２】
（第４の実施形態）
図５〜図１１は、本発明における第４の実施形態のランプユニット１０を示した図である。図５（ａ）（ｂ）は斜視図、図６は、正面図、右側面図、左側面図、背面図、図７は、平面図とＡ−Ａ断面図、図８は、底面図、図９は点灯用回路基板の分解斜視図、図１０は、平面型放電管５０が構成される部分の分解斜視図、図１１は、拡大Ａ−Ａ断面図である。
【００４３】
次に、本実施形態について主に図１１を参照して説明する。なお、図５〜図１１において、第１〜第３の実施形態と同じ作用・機能を有する部品には、図１、図３および図４において付与した符号と同じ符号を付与している。ここでは、第１、第２および第３の実施形態と異なる構成について以下に説明する。
【００４４】
本実施形態では、シャーシ１１が第１〜第３の実施形態と相違する構成部分であり、具体的には以下の点が異なっている。
（ａ）シャーシ１１の表面１１ａには、平面型放電管５０を収容する開口部１１＊を設け、その内部に平面型放電管５０を収容して、平面型放電管５０の表面（発光面Ｓ）側から、透光性を有する樹脂製の蓋体１６をこの発光面Ｓに密着するようにしてこの開口部１１ａを塞いで固定している。
【００４５】
（ｂ）シャーシ１１の延設部１１ｄをコの字型にした部分形成し、そのコの字の内部空間１１ｅ内側には、点灯用回路部品の背の高い部品が収容配置されるように、点灯用回路基板を固定配置している。
【００４６】
（ｃ）シャーシ１１の裏面１１ｂ側には、放熱手段としてのフィン部材１５をシャーシ１１と一体形成するように構成している。
【００４７】
（ｄ）シャーシ１１の周縁の両端には、このシャーシ１１と一体形成された側壁部１１ｆ、１１ｆを設けている。
【００４８】
（第４の実施形態の作用・効果）
以上の構成から、前記第１〜第３の実施形態で示された作用・効果に加えて、次の作用・効果が把握される。
（１０）前記構成（ａ）によれば、蓋体１６は透光性を有するため、平面型放電管５０の発光面Ｓから発光される光を蓋体１６を介して外部へ照射することができる。また、この蓋体＊＊の内面は、平面型放電管５０の表面（発光面Ｓ）上に形成されている透明電極５１ａに密着している。この透明電極５１ａは、電力の高圧側とされているが、蓋体１６が樹脂製であるため、この蓋体１６の外面から人が誤って触れても感電する恐れはない。また、外部からの衝撃に対しても平面型放電管５０が割れにくく、仮に割れた場合でもガラス破片等が周囲に飛散することを防止することができる。
【００４９】
（１１）前記構成（ｂ）によれば、点灯用回路部品の背の高い部品がコの字型のシャーシ延設部によって覆われるため、外部からの衝撃に対して、その回路部品が破損することを防止できる。また、本実施形態のランプユニット１０をシャーシ１１の表面側（発光面側）から見た場合に、回路部品が見えないので、灯具として見栄えがよい。
【００５０】
（１２）前記構成（ｃ）によれば、別部品としての放熱手段を設ける必要がなく、部品点数を削減することができる。
（１３）前記構成（ｄ）によれば、シャーシ１１に側壁部１１ｆを設けたので、構成部品が側壁部によって保護されるとともに、一体感のあるコンパクトなランプユニットであるとの印象を受ける。
【００５１】
（応用例等）
ところで、本発明は前記の実施形態に限定するものではなく、本発明の要旨を変更しない範囲で様々な実施が可能である。
・  前記実施形態では、平面型放電管５０の裏面とシャーシ１１の表面１１ａとは、接着剤１４を介して固定されているが、このような接着剤層を省略して直接、密着させて固定するようにしてもよい。
【００５２】
・  前記実施形態では、平面型放電管５０の裏面に設けられた薄膜状電極を透明電極５１ｂとしているが、必ずしも透明である必要はない。
・  前記実施形態においては、ランプユニットの表面形状が、略長方形状の箱型形状をしているが、これらに限定するものではなく、薄型発光体の表面形状と相似形にするなどして、表面形状を略正方形、略長方形、略円形等、その他の多角形や楕円型としても良い。
【００５３】
・  前記実施形態において説明した平面型放電管５０は、両外面に透明電極が形成されているとしているが、これに限定するものではなく、透明電極の一方が平面型放電管１１の内部（放電空間内）に形成されているものを採用しても良いし、発光面でない側の透明電極を金属薄膜状電極としても良い。また、他の電極配置を利用した平面型放電管であってもよく、電極の配置には限定されない。
【００５４】
・  前期実施形態においては、薄型発光体として平面型放電管を用いたが、これに限定しなくてもよい。例えば、有機ＥＬや円環型の誘電体バリア放電管を複数並列に並べた平面ユニットを平面型放電管の代わりに用いてもよい。
【図面の簡単な説明】
【００５５】
【図１】第１の実施形態におけるランプユニットであって、（ａ）はその平面図、（ｂ）はその正面図である。
【図２】第１の実施形態に用いた平面型放電管であって、（ａ）はその断面図、（ｂ）は（ａ）のＣ−Ｃ断面図である。
【図３】第２の実施形態におけるランプユニットであって、（ａ）はその平面図、（ｂ）はその正面図である。
【図４】第３の実施形態におけるランプユニットであって、（ａ）はその平面図、（ｂ）および（ｃ）はその正面図である。
【図５】第４の実施形態におけるランプユニットであって、（ａ）はランプユニットの表面側から見た斜視図、（ｂ）は裏面側から見た斜視図である。
【図６】第４の実施形態におけるランプユニットであって、（ａ）は正面図、（ｂ）は右側面図、（ｃ）は左側面図、（ｄ）は背面図である。
【図７】第４の実施形態におけるランプユニットであって、（ａ）は平面図、（ｂ）は（ａ）におけるＡ−Ａ断面図である。
【図８】第４の実施形態におけるランプユニットの底面図である。
【図９】第４の実施形態におけるランプユニットにおいて、点灯用回路基板を分解した場合の斜視図である。
【図１０】第４の実施形態におけるランプユニットにおいて、平面型放電管の収容部分を分解した場合の斜視図である。
【図１１】第４の実施形態におけるランプユニットの拡大Ａ−Ａ断面図である。
【図１２】特許文献１に記載の従来の誘電体バリア放電管を示す図である。
【図１３】特許文献２に記載の従来の照明具用基盤を示す図である。
【図１４】特許文献３に記載の従来の照明具用基盤を示す図である。
【図１５】特許文献１に記載の従来の平面型照明装置を示す図である。
【図１６】特許文献１に記載の従来の誘電体バリア放電管を示す図である。
【図１７】特許文献１に記載の従来の誘電体バリア放電管を示す図である。
【符号の説明】
【００５６】
１０・・・ランプユニット、１１・・・放熱用部材としてのシャーシ、１２・・・点灯用回路基板、１３・・・支柱、１４・・・熱伝導性の接合剤層としての接合剤、５０・・・薄型発光体としての平面型放電管、Ｓ・・・発光面。
【図１】
2009070569.tif 000003
【図２】
2009070569.tif 000004
【図３】
2009070569.tif 000005
【図４】
2009070569.tif 000006
【図５】
2009070569.tif 000007
【図６】
2009070569.tif 000008
【図７】
2009070569.tif 000009
【図８】
2009070569.tif 000010
【図９】
2009070569.tif 000011
【図１０】
2009070569.tif 000012
【図１１】
2009070569.tif 000013
【図１２】
2009070569.tif 000014
【図１３】
2009070569.tif 000015
【図１４】
2009070569.tif 000016
【図１５】
2009070569.tif 000017
【図１６】
2009070569.tif 000018
【図１７】
2009070569.tif 000019